(57)【要約】【課題】温水暖房装置において、高温暖房端末と低温暖房端末との同時運転時に低温バイパス開閉弁の閉故障を確実に検知可能な構造を備えたもの等を提供することである。【解決手段】高温暖房端末３と低温暖房端末４との同時運転時には、低温バイパス開閉弁１８を開放すると共に暖房熱交換器２での加熱温度を高温暖房端末３に適した温度に制御し、低温供給通路１２へは、高温分岐通路１１から導入された高温の暖房水と、低温バイパス通路１５から導入された暖房水とを混合して低温暖房端末４に適した温度に調整する温水暖房装置１において、同時運転時には、低温バイパス開閉弁１８を開放制御して所定時間経過した後に、低温バイパス開閉弁１８が開放されたか否かを判定し、低温バイパス開閉弁１８が開放されていないと判定した場合には、暖房熱交換器２での加熱温度を高温暖房端末３に適した温度よりも低い温度に変更する制御手段を備えている。【選択図】図１
2015001309.tif 000002
【特許請求の範囲】
【請求項１】
暖房熱交換器で加熱した暖房水を暖房端末に循環供給して温水暖房を行う温水暖房装置であって、高温の暖房水を高温暖房端末へ供給する為の高温供給通路と、低温の暖房水を低温暖房端末へ供給する為の低温供給通路と、前記暖房端末から前記暖房熱交換器へ暖房水を戻す為の暖房戻り通路とを有し、前記低温供給通路には、前記高温供給通路から分岐した高温分岐通路と、前記暖房戻り通路に設置された循環ポンプの下流側から分岐し且つ開閉弁が設置された低温バイパス通路とが接続され、前記高温暖房端末と前記低温暖房端末との同時運転時には、前記開閉弁を開放すると共に前記暖房熱交換器での加熱温度を前記高温暖房端末に適した温度に制御し、前記低温供給通路へは、前記高温分岐通路から導入された高温の暖房水と、前記低温バイパス通路から導入された暖房水とを混合して前記低温暖房端末に適した温度に調整する温水暖房装置において、
前記同時運転時には、前記開閉弁を開放制御して所定時間経過した後に、前記開閉弁が開放されたか否かを判定し、前記開閉弁が開放されていないと判定した場合には、前記暖房熱交換器での加熱温度を前記高温暖房端末に適した温度よりも低い温度に変更する制御手段を備えたことを特徴とする温水暖房装置。
【請求項２】
前記暖房戻り通路の前記循環ポンプの上流側に膨張タンクを設置し、
前記制御手段は、前記開閉弁を開放制御して所定時間経過した後に、前記低温供給通路を流れる暖房水の温度が前記高温供給通路を流れる暖房水の温度と同程度の温度である場合に、且つ、前記高温供給通路を流れる暖房水の温度と前記膨張タンク内の暖房水の温度との温度差が設定温度以上の場合に、前記開閉弁が開放されていないと判定することを特徴とする請求項１に記載の温水暖房装置。
【発明の詳細な説明】
【技術分野】
【０００１】
本発明は温水暖房装置に関し、特に低温暖房端末に暖房水を供給する際に開閉駆動される低温バイパス開閉弁の閉故障を検知可能なものに関する。
【背景技術】
【０００２】
従来から、暖房熱交換器で加熱した暖房水を暖房端末に循環供給して温水暖房を行う温水暖房装置が実用に供されている。この種の温水暖房装置においては、８０℃程度の暖房水を循環供給して暖房を行う高温暖房端末（浴室暖房、ファンコンベクター等）、６０℃程度の暖房水を循環供給して暖房を行う低温暖房端末（床暖房、パネルラジエータ等）を備えた二温度回路で構成され、高温暖房端末又は低温暖房端末の単独運転に限らず両方の暖房端末を同時に運転可能なものがある。
【０００３】
上記のような二温度回路を備えた温水暖房装置は、種々の文献に開示されている。例えば、特許文献１の図２に示す温水暖房装置では、バーナーによって暖房水を加熱する暖房熱交換器、高温の暖房水を高温暖房端末（第１負荷）へ循環供給する為の第１循環路、低温の暖房水を低温暖房端末（第２負荷）へ循環供給する為の第２循環路を備え、これら第１，第２循環路に第１，第２熱媒体供給弁（開閉弁）が設置された二温度回路の構造が開示されている。
【０００４】
特許文献１の温水暖房装置では、試運転時（水張り時）に、第１熱媒体供給弁又は第２熱媒体供給弁を開閉駆動しながら、高温暖房端末又は低温暖房端末に供給される暖房水温度と、暖房端末での放熱後の暖房水温度とを比較することで、第１熱媒体供給弁又は第２熱媒体供給弁の開閉状態と故障状態とを検出する技術が開示されている。
【０００５】
ところで、高温暖房端末と低温暖房端末との同時運転時には、低温暖房端末へ供給される低温の暖房水は、暖房熱交換器で加熱された高温の暖房水と、高温暖房端末で放熱した戻り暖房水とを混合して生成される。この戻り暖房水が流れる低温バイパス通路には、一般的に低温バイパス開閉弁が設置され、同時運転時には低温バイパス開閉弁を開放することで、高温の暖房水と戻り暖房水とを混合し、温度調整した低温の暖房水を低温暖房端末に供給している。
【先行技術文献】
【特許文献】
【０００６】
【特許文献１】特開平６−２８８５５９号公報
【発明の開示】
【発明が解決しようとする課題】
【０００７】
しかし、上記の低温バイパス開閉弁が固着や断線等によって閉故障した場合、高温の暖房水と戻り暖房水とを混合することができず、温度調整した低温の暖房水を低温暖房端末に正常に供給することができなくなる虞がある。このため、高温暖房端末と低温暖房端末との同時運転時には、暖房熱交換器で加熱された高温の暖房水が、低温暖房端末へ直接流入してしまい、ユーザーに不快感を与えたり火傷を負わせたり等の危険性が生じてしまう。
【０００８】
従って、特許文献１の技術等を利用することで、低温バイパス開閉弁の故障を検知する必要があるが、特許文献１の技術で故障を検知した場合、低温バイパス開閉弁の故障を報知しただけでは、高温の暖房水が低温暖房端末へ供給され続けるので、温水暖房運転を停止しなければならない。しかし、低温暖房端末（特に冬場等の床暖房）の運転を停止すると、ユーザーに不快感を与えてしまうので、低温バイパス開閉弁が故障した場合であっても温水暖房運転を継続することが望ましい。
【０００９】
本発明の目的は、温水暖房装置において、高温暖房端末と低温暖房端末との同時運転時に低温バイパス開閉弁の閉故障を確実に検知可能な構造を備えたもの、低温バイパス開閉弁が故障した場合でも温水暖房運転を継続可能なもの、安全性を向上し得る構造を備えたもの、等を提供することである。
【課題を解決するための手段】
【００１０】
請求項１の温水暖房装置は、暖房熱交換器で加熱した暖房水を暖房端末に循環供給して温水暖房を行う温水暖房装置であって、高温の暖房水を高温暖房端末へ供給する為の高温供給通路と、低温の暖房水を低温暖房端末へ供給する為の低温供給通路と、前記暖房端末から前記暖房熱交換器へ暖房水を戻す為の暖房戻り通路とを有し、前記低温供給通路には、前記高温供給通路から分岐した高温分岐通路と、前記暖房戻り通路に設置された循環ポンプの下流側から分岐し且つ開閉弁が設置された低温バイパス通路とが接続され、前記高温暖房端末と前記低温暖房端末との同時運転時には、前記開閉弁を開放すると共に前記暖房熱交換器での加熱温度を前記高温暖房端末に適した温度に制御し、前記低温供給通路へは、前記高温分岐通路から導入された高温の暖房水と、前記低温バイパス通路から導入された暖房水とを混合して前記低温暖房端末に適した温度に調整する温水暖房装置において、前記同時運転時には、前記開閉弁を開放制御して所定時間経過した後に、前記開閉弁が開放されたか否かを判定し、前記開閉弁が開放されていないと判定した場合には、前記暖房熱交換器での加熱温度を前記高温暖房端末に適した温度よりも低い温度に変更する制御手段を備えたことを特徴としている。
【００１１】
請求項２の温水暖房装置は、請求項１の発明において、前記暖房戻り通路の前記循環ポンプの上流側に膨張タンクを設置し、前記制御手段は、前記開閉弁を開放制御して所定時間経過した後に、前記低温供給通路を流れる暖房水の温度が前記高温供給通路を流れる暖房水の温度と同程度の温度である場合に、且つ、前記高温供給通路を流れる暖房水の温度と前記膨張タンク内の暖房水の温度との温度差が設定温度以上の場合に、前記開閉弁が開放されていないと判定することを特徴としている。
【発明の効果】
【００１２】
請求項１の発明によれば、高温暖房端末と低温暖房端末との同時運転時には、開閉弁を開放制御して所定時間経過した後に、開閉弁が開放されたか否かを判定し、開閉弁が開放されていないと判定した場合には、暖房熱交換器での加熱温度を高温暖房端末に適した温度よりも低い温度に変更する制御手段を備えたので、この制御手段によって高温暖房端末と低温暖房端末との同時運転時に開閉弁に対する閉故障判定をすることができる。
【００１３】
そして、開閉弁の閉故障が発生した場合でも、暖房熱交換器による暖房水の加熱温度を低下させて、同時運転を継続させることで温水暖房運転を継続することができるので、利用者の利便性を損なうことなく、低温暖房端末に高温の暖房水が流入するのを防止し、安全性を向上することができる。
【００１４】
請求項２の発明によれば、制御手段は、低温供給通路を流れる暖房水の温度が高温供給通路を流れる暖房水の温度と同程度の温度である場合に、且つ、膨張タンク内の暖房水の温度と高温供給通路を流れる暖房水の温度との温度差が設定温度以上の場合に、開閉弁が開放されていないと判定するので、低温供給通路を流れる暖房水の温度変化に基づいて閉故障判定をすることができ、さらに、暖房負荷が少なく、暖房負荷から戻る暖房水の温度が殆ど低下していない場合の誤検知を防止することができる。
【図面の簡単な説明】
【００１５】
【図１】実施例に係る温水暖房装置の構成を示す概略図である。
【図２】高温暖房端末単独運転時と高温暖房端末と低温暖房端末との同時運転時の制御に係るフローチャートである。
【図３】低温暖房端末単独運転時の制御に係るフローチャートである。
【発明を実施するための形態】
【００１６】
以下、本発明の実施の形態について実施例に基づいて説明する。
【実施例】
【００１７】
先ずは、温水暖房装置１の全体構成について説明する。
図１に示すように、温水暖房装置１は、暖房熱交換器２、高温暖房端末３及び低温暖房端末４（暖房端末に相当する）、温水暖房回路５、制御ユニット６等を備え、暖房熱交換器２で加熱した暖房水を、温水暖房回路５を介して高温暖房端末３及び低温暖房端末４に循環供給して温水暖房を行うものである。
【００１８】
次に、暖房熱交換器２について説明する。
暖房熱交換器２は、例えば、貯湯槽７に貯留された高温の湯水を利用して、温水暖房回路５を流れる暖房水を加熱する熱交換器であり、温水暖房装置１の加熱源を構成している。暖房熱交換器２は、温水暖房回路５の一部となる熱交換通路部５ａ、貯湯槽７の湯水を循環させる循環回路８の一部となる熱交換通路部８ａを有し、貯湯槽７から流れる高温の湯水と温水暖房回路５を流れる暖房水との間で熱交換される。
【００１９】
尚、上述したように、暖房熱交換器２では、貯湯槽７に貯留された高温の湯水を利用して温水暖房装置１の暖房水を加熱しているが、特にこの構造に限定する必要はなく、公知のガス給湯器の熱交換器を利用して、燃焼熱で暖房水を加熱しても良く、温水暖房回路５を流れる暖房水を加熱可能なものであれば、種々の公知なものを採用可能である。
【００２０】
次に、高温暖房端末３及び低温暖房端末４について説明する。
図１に示すように、高温暖房端末３は、８０℃程度の暖房水を循環供給して暖房を行うものであり、例えば、浴室乾燥機やファンコンベクター等で構成され、低温暖房端末４は、６０℃程度の暖房水を循環供給して暖房を行うものであり、例えば、床暖房、パネルラジエータ等で構成されているが、特にこれらに限定する必要はない。
【００２１】
次に、温水暖房回路５について説明する。
図１に示すように、温水暖房回路５は、高温の暖房水を高温暖房端末３へ供給する為の高温供給通路１１、低温の暖房水を低温暖房端末４へ供給する為の低温供給通路１２、高温暖房端末３及び低温暖房端末４で放熱された暖房水を暖房熱交換器２へ戻す為の暖房戻り通路１３、低温供給通路１２に連なる高温分岐通路１４や低温バイパス通路１５等を有している。
【００２２】
高温供給通路１１の上流端は、暖房熱交換器２の出口に接続され、高温供給通路１１の下流端は、高温暖房端末３の導入口に接続されている。高温供給通路１１の暖房熱交換器２の出口近傍部には、高温供給通路１１を流れる暖房水温度（Ｔａ）を検出する為の高温暖房水用温度センサ２１が設置され、高温供給通路１１の高温暖房端末３の導入口近傍部には高温暖房端末側開閉弁３ａが設置されている。
【００２３】
暖房戻り通路１３の上流端は、高温暖房端末３の出口と低温暖房端末４の出口に接続され、暖房戻り通路１３の下流端は、暖房熱交換器２の導入口に接続されている。暖房戻り通路１３には、上流側から下流側に向かって、加熱による暖房水の体積膨張分を許容可能な膨張タンク１６と、温水暖房回路５に暖房水を循環させる為の循環ポンプ１７が設置されている。
【００２４】
暖房戻り通路１３の循環ポンプ１７の下流側から低温バイパス通路１５が分岐されている。暖房戻り通路１３の膨張タンク１６の上流側には、高温供給通路１１から分岐したバイパス通路２０が接続されている。膨張タンク１６には、膨張タンク１６内の暖房水温度（Ｔｂ）を検出する為の膨張タンク内暖房水用温度センサ２２が設置されている。
【００２５】
低温供給通路１２の上流端は、高温供給通路１１から分岐した高温分岐通路１４の下流端と、暖房戻り通路１３から分岐した低温バイパス通路１５の下流端との合流部に接続され、低温供給通路１２の下流端は、低温暖房端末４の導入口に接続されている。低温供給通路１２の上流部には、低温供給通路１２を流れる暖房水温度（Ｔｃ）を検出する為の低温暖房水用温度センサ２３が設置され、低温供給通路１２の低温暖房端末４の導入口近傍部には、低温暖房端末側開閉弁４ａが設置されている。
【００２６】
高温分岐通路１４には、高温供給通路１１から低温供給通路１２への流れのみを許容する逆止弁１９が設置されている。低温バイパス通路１５には、低温バイパス開閉弁１８（開閉弁に相当する）が設置されている。尚、高温暖房端末側開閉弁３ａ、低温暖房端末側開閉弁４ａ、低温バイパス開閉弁１８は、ヒータで熱動素子を加熱し、熱動素子の膨張により開弁し、スプリング部材の弾性力で閉弁する二位置制御の熱動弁で夫々構成されているが、特に熱動弁に限定する必要はない。
【００２７】
次に、制御ユニット６について説明する。
図１に示すように、温水暖房装置１は、制御ユニット６によって制御される。制御ユニット６は、ユーザーが操作可能な操作リモコン２５との間でデータ通信可能であり、操作リモコン２５のスイッチ操作、各種の温度センサ２１〜２３の検出信号が制御ユニット６に送信され、この制御ユニット６により、暖房熱交換器２で暖房水を加熱する為の加熱作動、循環ポンプ１７の作動・停止、各種の開閉弁３ａ，４ａ，１８の開閉状態の切り換えを制御し、各種の温水暖房運転（高温暖房端末３の単独運転、低温暖房端末４の単独運転、高温暖房端末３と低温暖房端末４との同時運転等）を実行する。
【００２８】
次に、高温暖房端末３の単独運転について説明する。
高温暖房端末３の単独運転時には、制御ユニット６は、暖房熱交換器２による加熱温度を、高温暖房端末３に適した温度（例えば８０℃）に設定し、高温暖房端末側開閉弁３ａを開放し、低温暖房端末側開閉弁４ａを閉止し、低温バイパス開閉弁１８を閉止するように設定する。
【００２９】
循環ポンプ１７の駆動により、膨張タンク１６から取り出された低温の暖房水は、暖房戻り通路１３を通って暖房熱交換器２に流入し、この暖房熱交換器２で加熱された高温の暖房水は、高温供給通路１１を通って高温暖房端末３へ供給される。高温暖房端末３で放熱された戻り暖房水は、暖房戻り通路１３を通って、膨張タンク１６へ戻される。
【００３０】
次に、低温暖房端末４の単独運転について説明する。
低温暖房端末４の単独運転時には、制御ユニット６は、暖房熱交換器２による加熱温度を、低温暖房端末４に適した温度（例えば６０℃）に設定し、高温暖房端末側開閉弁３ａを閉止し、低温暖房端末側開閉弁４ａを開放し、低温暖房端末４の負荷が小さい場合は、低温バイパス開閉弁１８を閉止するように設定する。
【００３１】
循環ポンプ１７の駆動により、膨張タンク１６から取り出された低温の暖房水は、暖房戻り通路１３を通って暖房熱交換器２に流入し、この暖房熱交換器２で加熱された暖房水は、高温供給通路１１から高温分岐通路１４を通って低温供給通路１２に流入し、低温供給通路１２を通って低温暖房端末４へ供給される。低温暖房端末４で放熱された戻り暖房水は、暖房戻り通路１３を通って、膨張タンク１６へ戻される。
【００３２】
尚、低温暖房端末４の負荷が大きい場合は、低温暖房端末４への暖房水の流量を増加させる為に、暖房熱交換器２による加熱温度を、低温暖房端末４に適した温度より高い温度（例えば６５℃）に設定し、低温バイパス開閉弁１８を開放するように設定する。
【００３３】
循環ポンプ１７の駆動により、膨張タンク１６から取り出された低温の暖房水は、暖房戻り通路１３と低温バイパス通路１５とに分岐して流れ、暖房戻り通路１３を通って暖房熱交換器２に流入した暖房水は加熱され、高温の暖房水は高温供給通路１１から高温分岐通路１４を通り、低温バイパス通路１５から導入された暖房水と混合して低温暖房端末４に適した温度（例えば６０℃）に調整され、温度調整された暖房水が低温供給通路１２を通って低温暖房端末４へ供給される。低温暖房端末４で放熱された戻り暖房水は、暖房戻り通路１３を通って、膨張タンク１６へ戻される。
【００３４】
次に、高温暖房端末３と低温暖房端末４との同時運転について説明する。
高温暖房端末３と低温暖房端末４との同時運転時には、制御ユニット６は、暖房熱交換器２による加熱温度を、高温暖房端末３に適した温度（例えば８０℃）に設定し、高温暖房端末側開閉弁３ａ及び低温暖房端末側開閉弁４ａを開放し、低温バイパス開閉弁１８を開放するように設定する。
【００３５】
循環ポンプ１７の駆動により、膨張タンク１６から取り出された低温の暖房水は、暖房戻り通路１３と低温バイパス通路１５とに分岐して流れ、暖房戻り通路１３を通って暖房熱交換器２に流入した暖房水は加熱され、高温の暖房水は、高温供給通路１１から高温暖房端末３へ供給されると共に、高温分岐通路１４から導入された暖房水は、低温バイパス通路１５から導入された暖房水と混合して低温暖房端末４に適した温度に調整され、温度調整された暖房水が低温供給通路１２を通って低温暖房端末４へ供給される。高温暖房端末３と低温暖房端末４で放熱された戻り暖房水は、暖房戻り通路１３を通って、膨張タンク１６へ戻される。
【００３６】
次に、温水暖房運転時に同時に実行される低温バイパス開閉弁１８と逆止弁１９の故障判定制御及び低温バイパス開閉弁１８が閉故障の場合に暖房熱交換器２での加熱温度を高温暖房端末３に適した温度より低い温度に変更する制御について、図２，図３のフローチャートに基づいて説明する。尚、図中の符号Ｓｉ（ｉ=１，２，・・）は各ステップを示す。この制御に関する制御プログラムは、制御ユニット６に予め格納されている。
【００３７】
図２のフローチャートにおいて、この制御が開始されると、最初にＳ１において、操作リモコン２５の操作等に基づいて温水暖房運転開始条件成立か否か判定される。温水暖房運転を開始する為の条件が成立している場合は、つまり、Ｓ１の判定がＹｅｓの場合、Ｓ２に移行し、Ｓ１の判定がＮｏのうちはＳ１を繰り返す。
【００３８】
次に、Ｓ２において、温水暖房運転が、低温暖房端末４の単独運転か否かを判定する。温水暖房運転が低温暖房端末４の単独運転の場合、つまり、Ｓ２の判定がＹｅｓの場合は、Ｓ１２に移行し（図３のフローチャート参照）、温水暖房運転が低温暖房端末４の単独運転以外の場合、つまり、Ｓ２の判定がＮｏの場合は、Ｓ３に移行する。
【００３９】
次に、Ｓ３において、温水暖房運転が、高温暖房端末３と低温暖房端末４との同時運転か否かを判定する。温水暖房運転が高温暖房端末３と低温暖房端末４との同時運転の場合、つまり、Ｓ３の判定がＹｅｓの場合は、Ｓ４に移行し、温水暖房運転が高温暖房端末３の単独運転の場合、つまり、Ｓ３の判定がＮｏの場合は、Ｓ５に移行する。
【００４０】
次に、Ｓ４において、温水暖房運転を高温暖房端末３と低温暖房端末４との同時運転モードに設定する。この同時運転モードでは、制御ユニット６により、暖房熱交換器２による加熱温度を、高温暖房端末３に適した温度（例えば８０℃）に設定し、高温暖房端末側開閉弁３ａ及び低温暖房端末側開閉弁４ａを開放し、低温バイパス開閉弁１８を開放するように設定し、循環ポンプ１７を駆動して、高温暖房端末３と低温暖房端末４との同時運転を実行して、Ｓ６に移行する。
【００４１】
尚、Ｓ５において、温水暖房運転を高温暖房端末３の単独運転モードに設定する場合、制御ユニット６により、暖房熱交換器２による加熱温度を、高温暖房端末３に適した温度（例えば８０℃）に設定し、高温暖房端末側開閉弁３ａを開放し、低温暖房端末側開閉弁４ａを閉止し、低温バイパス開閉弁１８を閉止するように設定し、循環ポンプ１７を駆動して、高温暖房端末３の単独運転を実行し、この一連の制御を終了する。この単独運転モードでは、低温バイパス通路１５と高温分岐通路１４には暖房水が流れないので、低温バイパス開閉弁１８と逆止弁１９の故障判定は行われない。
【００４２】
次に、Ｓ６において、循環ポンプ１７の駆動から所定時間（例えば、１〜３分程度）経過したか否かを判定し、所定時間経過している場合、つまり、Ｓ６の判定がＹｅｓの場合は、Ｓ７に移行し、Ｓ６の判定がＮｏのうちはＳ６を繰り返す。
【００４３】
次に、Ｓ７において、各種温度センサ２１〜２３の検出信号を夫々読み込む。即ち、高温暖房水用温度センサ２１、膨張タンク内暖房水用温度センサ２２、低温暖房水用温度センサ２３の検出信号を夫々読み込み、これら検出信号に基づいて、暖房水温度Ｔａ，Ｔｂ，Ｔｃを夫々算出する。
【００４４】
次に、Ｓ８において、低温供給通路１２を流れる暖房水温度Ｔｃが高温供給通路１１を流れる暖房水温度Ｔａと同程度の温度であるか否か、且つ、高温供給通路１１を流れる暖房水温度Ｔａと膨張タンク１６内の暖房水温度Ｔｂとの温度差が設定温度α（例えば１０℃）以上か否かを判定する。
【００４５】
上記の同程度の温度とは、温度差が小さな設定値（例えば１〜３℃）以内であって、低温供給通路１２を流れる暖房水温度Ｔｃと高温供給通路１１を流れる暖房水温度Ｔａとが実質的に等しい温度である。低温バイパス開閉弁１８が開放していない閉故障の場合、低温バイパス通路１５には戻り暖房水が流れず、高温の暖房水が、高温供給通路１１から高温分岐通路１４を通って低温供給通路１２に流入し、低温バイパス通路１５からの戻り暖房水と混合されずに低温暖房端末４へ直接供給されてしまう。
【００４６】
ところで、高温供給通路１１の暖房水温度Ｔａと膨張タンク１６内の暖房水温度Ｔｂとの温度差が設定温度α以上か否かの判定において、暖房負荷が少ない場合、暖房負荷で放熱されずに膨張タンク１６に高温の暖房水が戻って、膨張タンク１６内の暖房水温度Ｔｂの温度が高くなる。この状態では、低温バイパス開閉弁１８を開放しても、低温供給通路１２を流れる暖房水温度Ｔｃの温度が低下せず、暖房水温度Ｔａと同程度な温度となり、低温バイパス開閉弁１８が閉故障したと誤検知してしまう。従って、設定温度α以上か否かの判定は、誤検知を防止する為に行われる。尚、Ｓ８で誤検知であると判定した場合、暖房熱交換器２による加熱温度を低く設定する必要がある。
【００４７】
即ち、Ｓ８において、低温供給通路１２を流れる暖房水温度Ｔｃが高温供給通路１１を流れる暖房水温度Ｔａと同程度の温度である場合、且つ、高温供給通路１１を流れる暖房水温度Ｔａと膨張タンク１６内の暖房水温度Ｔｂとの温度差が設定温度α以上の場合、低温バイパス開閉弁１８が閉故障していると判定し、Ｓ８の判定がＹｅｓとなり、Ｓ９に移行し、Ｓ８の判定がＮｏの場合は、Ｓ１０に移行する。
【００４８】
次に、Ｓ９において、暖房熱交換器２の加熱温度を低くして、低温バイパス開閉弁１８の故障報知を実行する。即ち、低温バイパス開閉弁１８を開放制御した後に、低温バイパス開閉弁１８が開放されたか否かを判定し、閉故障と判定した場合には、暖房熱交換器２での加熱温度を高温暖房端末３に適した温度よりも低い温度（例えば６０℃）に変更し、低温バイパス開閉弁１８の故障状態であることを、表示警告や音声警告等でユーザーに報知し、同時運転を実行したまま、この一連の制御を終了する。
【００４９】
尚、高温暖房水用温度センサ２１、膨張タンク内暖房水用温度センサ２２、低温暖房水用温度センサ２３、制御ユニット６、制御プログラムのＳ６〜Ｓ９等が本発明の制御手段に相当するものである。
【００５０】
次に、Ｓ８で低温バイパス開閉弁１８が正常に作動していると判定された後のＳ１０において、低温供給通路１２を流れる暖房水温度Ｔｃが膨張タンク１６内の暖房水温度Ｔｂと同程度の温度であるか否かを判定する。
【００５１】
このＳ８において、高温分岐通路１４の逆止弁１９が閉故障している場合、高温分岐通路１４には高温の暖房水が流れないので、低温供給通路１２には、低温バイパス通路１５を介して膨張タンク１６内の戻り暖房水がそのまま流れることになる。即ち、低温供給通路１２を流れる暖房水温度Ｔｃが膨張タンク１６内の暖房水温度Ｔｂと同程度の温度である場合、つまり、逆止弁１９が故障している場合はＳ１０の判定がＹｅｓとなり、Ｓ１１に移行し、Ｓ１０の判定がＮｏの場合は、同時運転を実行したまま、この一連の制御を終了する。
【００５２】
次に、Ｓ１１において、逆止弁１９が閉故障であると判定された場合、逆止弁１９の故障状態であることを表示警告や音声警告等でユーザーに報知し、同時運転を実行したまま、この一連の制御を終了する。
【００５３】
図３のフローチャートのＳ１２において、低温暖房端末４に対する加熱負荷が設定値以上か否か判定し、加熱負荷が設置値以上の場合、つまり、Ｓ１２の判定がＹｅｓの場合は、Ｓ１３に移行し、Ｓ１２の判定がＮｏの場合は、Ｓ１７に移行する。尚、加熱負荷の設定値としては、例えば、低温暖房端末４が３系統からなる床暖房の場合、２系統以上の床暖房を加熱する為に必要な加熱量を基準値としても良いが、特にこれに限定する必要はない。
【００５４】
次に、Ｓ１３において、温水暖房運転を、低温バイパス開閉弁１８を利用した低温暖房端末４の単独運転モードに設定する。この単独運転モードでは、制御ユニット６により、暖房熱交換器２による加熱温度を、低温暖房端末４に適した温度より高めの温度に設定し、高温暖房端末側開閉弁３ａを閉止し、低温暖房端末側開閉弁４ａを開放し、低温バイパス開閉弁１８を開放するように設定し、循環ポンプ１７を駆動して、低温暖房端末４の単独運転を実行して、Ｓ１４に移行する。
【００５５】
次に、Ｓ１４において、循環ポンプ１７の駆動から所定時間（例えば１〜３分程度）経過したか否かを判定し、所定時間経過している場合、つまり、Ｓ１４の判定がＹｅｓの場合は、Ｓ１５に移行し、Ｓ１４の判定がＮｏのうちはＳ１４を繰り返す。
【００５６】
次に、Ｓ１５において、各種温度センサ２２，２３の検出信号を夫々読み込む。即ち、膨張タンク内暖房水用温度センサ２２、低温暖房水用温度センサ２３の検出信号を夫々読み込み、これら検出信号に基づいて、暖房水温度Ｔｂ，Ｔｃを夫々算出する。
【００５７】
次に、Ｓ１６において、低温供給通路１２を流れる暖房水温度Ｔｃが膨張タンク１６内の暖房水温度Ｔｂと同程度の温度であるか否かを判定する。高温分岐通路１４の逆止弁１９が閉故障している場合、高温分岐通路１４には高温の暖房水が流れないので、低温供給通路１２には、低温バイパス通路１５を介して膨張タンク１６内の暖房水がそのまま流れることになる。即ち、低温供給通路１２を流れる暖房水温度Ｔｃが膨張タンク１６内の暖房水温度Ｔｂと同程度の温度である場合、つまり、逆止弁１９が故障している場合はＳ１６の判定がＹｅｓとなり、Ｓ１７に移行し、Ｓ１６の判定がＮｏの場合は、この一連の制御を終了する。
【００５８】
次に、Ｓ１７において、逆止弁１９が閉故障であると判定された場合、逆止弁１９の故障状態であることを表示警告や音声警告等でユーザーに報知し、低温暖房端末４の単独運転を実行したまま、この一連の制御を終了する。
【００５９】
次に、Ｓ１８において、温水暖房運転を、低温バイパス開閉弁１８を利用しない低温暖房端末４の単独運転モードに設定する。この単独運転モードでは、制御ユニット６により、暖房熱交換器２による加熱温度を、低温暖房端末４に適した温度に設定し、高温暖房端末側開閉弁３ａを閉止し、低温暖房端末側開閉弁４ａを開放し、低温バイパス開閉弁１８を閉止するように設定し、循環ポンプ１７を駆動して、低温暖房端末４の単独運転を実行して、Ｓ１９に移行する。
【００６０】
次に、Ｓ１９において、循環ポンプ１７の駆動から所定時間（例えば１〜３分程度）経過したか否かを判定し、所定時間経過している場合、つまり、Ｓ１９の判定がＹｅｓの場合は、Ｓ２０に移行し、Ｓ１９の判定がＮｏのうちはＳ１９を繰り返す。
【００６１】
次に、Ｓ２０において、各種温度センサ２１〜２３の検出信号を夫々読み込む。即ち、高温暖房水用温度センサ２１、膨張タンク内暖房水用温度センサ２２、低温暖房水用温度センサ２３の検出信号を夫々読み込み、これら検出信号に基づいて、暖房水温度Ｔａ，Ｔｂ，Ｔｃを夫々算出する。
【００６２】
次に、Ｓ２１において、高温供給通路１１を流れる暖房水温度Ｔａが膨張タンク１６内の暖房水温度Ｔｂと同程度の温度であるか否か、且つ、膨張タンク１６内の暖房水温度Ｔｂが低温供給通路１２を流れる暖房水温度Ｔｃ以上か否かを判定する。高温分岐通路１４の逆止弁１９が閉故障している場合、高温の暖房水は、高温供給通路１１からバイパス通路２０を通って暖房戻り通路１３を流れる循環流を形成するので、低温供給通路１２には暖房水が流れず、低温暖房端末４の温度が上昇しない。
【００６３】
即ち、高温供給通路１１を流れる暖房水温度Ｔａが膨張タンク１６内の暖房水温度Ｔｂと同程度の温度である場合に、且つ、膨張タンク１６内の暖房水温度Ｔｂが低温供給通路１２を流れる暖房水温度Ｔｃ以上の場合、低温暖房端末側開閉弁４ａが閉故障していると判定する、つまり、Ｓ２１の判定がＹｅｓとなり、Ｓ２２に移行し、Ｓ２１の判定がＮｏの場合は、この一連の制御を終了する。
【００６４】
次に、Ｓ２２において、低温暖房端末側開閉弁４ａが閉故障であると判定された場合、低温暖房端末側開閉弁４ａの故障状態であることを表示警告や音声警告等でユーザーに報知し、この一連の制御を終了する。
【００６５】
次に、本発明の温水暖房装置１の作用及び効果について説明する。
温水暖房装置１は、高温暖房端末３と低温暖房端末４との同時運転時には、低温バイパス開閉弁１８を開放制御した後に、低温バイパス開閉弁１８が開放されたか否かを判定し、閉故障と判定した場合には、暖房熱交換器２での加熱温度を高温暖房端末３に適した温度よりも低い温度に変更する制御手段を備えている。
【００６６】
従って、この制御手段によって高温暖房端末３と低温暖房端末４との同時運転時に、低温バイパス開閉弁１８を開放制御したにも関わらず、固着や断線等で閉故障が発生して低温バイパス開閉弁１８が開放されない、つまり、低温バイパス開閉弁１８の閉故障が発生した場合でも、暖房熱交換器２による暖房水の加熱温度を低下させて、同時運転を継続させることで温水暖房運転を継続することができるので、利用者の利便性を損なうことなく、低温暖房端末４に高温の暖房水が流入するのを防止し、安全性を向上することができる。
【００６７】
また、制御手段は、低温供給通路１２を流れる暖房水の温度が高温供給通路１１を流れる暖房水の温度と同程度の温度である場合に、且つ、膨張タンク１６内の暖房水の温度と高温供給通路１１を流れる暖房水の温度との温度差が設定温度以上の場合に、閉故障であると判定するので、低温供給通路１２を流れる暖房水の温度変化に基づいて閉故障判定することができ、さらに、暖房負荷が少なく、暖房負荷から戻る暖房水の温度が殆ど低下していない場合の誤検知を防止することができる。
【００６８】
前記実施例を部分的に変更する例について説明する。
［１］前記実施例の低温バイパス開閉弁１８の閉故障を判定する故障判定制御は、ほんの１例を示したに過ぎず、低温バイパス開閉弁１８の閉故障判定をする為であれば、種々の制御方法を採用可能である。
【００６９】
［２］その他、当業者であれば、本発明の趣旨を逸脱することなく、前記実施例に種々の変更を付加した形態で実施可能であり、本発明はそのような変更形態を包含するものである。
【符号の説明】
【００７０】
１      温水暖房装置
２      暖房熱交換器
３      高温暖房端末
４      低温暖房端末
１１    高温供給通路
１２    低温供給通路
１３    暖房戻り通路
１４    高温分岐通路
１５    低温バイパス通路
１６    膨張タンク
１７    循環ポンプ
１８    低温バイパス開閉弁
【図１】
2015001309.tif 000003
【図２】
2015001309.tif 000004
【図３】
2015001309.tif 000005